(57)【特許請求の範囲】
【請求項１】
表面に葉書表示と宛名情報を符号化したカスタマバーコードとを備えた葉書本体シートと、前記葉書本体シートの表面と同一面側の表面に情報記載面を備えた第一貼着シートと、前記葉書本体シートの表面と同一面側の表面に情報記載面を備えた第二貼着シートとが折り部を介して一連にして連接されて、前記第一貼着シートと第二貼着シートとの連接方向の長さ寸法それぞれを葉書本体シートの連接方向の長さ寸法の半分にして、前記葉書本体シートの裏面側に第一貼着シートが重なるようにしてＺ型に折り重ね可能に設けられ、
前記第一貼着シートと葉書本体シートとの前記折り重ね時に対向する対向面それぞれに、第一貼着シートと葉書本体シートとを剥離困難に接着する強接着部が設けられ、
前記第二貼着シートと第一貼着シートとの前記折り重ね時に対向する対向面それぞれに、第二貼着シートと第一貼着シートとを剥離可能に接着する弱接着部が設けられて、第二貼着シートと第一貼着シートとの情報記載面は前記対向面内に配置されて折り重ね時に隠蔽され、折り重ね合せ後の前記第一貼着シートと第二貼着シートとを見開いた状態での見開き形状が葉書本体シートと同じ形状になってこの葉書本体シートに重なる構成としたことを特徴とする重ね合わせ葉書用シート。
【発明の詳細な説明】
【０００１】
【発明の属する技術分野】
本発明は見開きできる隠蔽部分を備えた葉書を折り重ねにより得られるようにしたシートに関するものである。
【０００２】
【発明が解決しようとする課題】
第三者には見えないようにして通知情報を郵送により送る手段としては従来から封書などが用いられているが、近年においては受け取り側で見開きできる隠蔽部分を備える葉書も多く利用されるようになってきており、その一つとして、剥離可能に折り重ねて隠蔽部分が形成できる重ね合わせ葉書用シートからなる葉書がある。図５はその隠蔽部分を有する葉書が折り重ねにより得られる重ね合わせ葉書用シート１を示している。この重ね合わせ葉書用シート１は、郵便法の規定に基づいて表面に所要の文字からなる葉書表示２を有する葉書本体シート３と、この葉書本体シート３の一辺に折り部４を介して葉書本体シート３の表面側に折り重ねることができるように連接された貼着シート５とからなるものである。
上記葉書本体シート３の表面には、前記葉書表示２が設けられているとともに、郵送業務に関わる宛名情報などが記載される情報記載面６が設けられており、表面側に重ね合わされる貼着シート５はこれらの領域を覆うことのない寸法形状とされ、そして、この貼着シート５を重ね合わせたときに対向する貼着シート５と葉書本体シート３との対向面７それぞれに隠蔽すべき情報を記載するための情報記載面８が設けられている。対向面７それぞれには前記貼着シート５と葉書本体シート３とを剥離可能に接着するために弱接着力の接着剤を塗布してなる弱接着部９が全面的に設けられており、この貼着シート５を葉書本体シート３の表面に折り重ね加圧することで剥離可能にこの貼着シート５と葉書本体シート３とが貼り合わされて、見開きできる隠蔽部分を備えた葉書１０が得られる（図６参照）。
【０００３】
ところで郵便物の配送業務の合理化を図るために郵便番号の情報と宛名情報とを含むカスタマバーコードが葉書にも付与されるようになってきており、隠蔽部分を有する葉書にも葉書本体シートの宛名情報を記載する情報記載面にカスタマバーコードを設けるようにしたものがあった。
しかしながら、近年実施されるようになった郵便番号の７桁化に対応するカスタマバーコードではその長さが長くなっているため、従来のままの大きさの隠蔽部分を備えていると葉書本体シートの情報記載面には載せることができず、そして、その長いカスタマバーコードを適正に載せるための領域を確保すると、隠蔽部分の領域が極めて小さくなり、隠蔽できる情報量が少なくなるという問題がある。
この対策としては貼着シートを葉書本体シートの裏面側に重ね合わせるようにして葉書本体シートの裏面側に隠蔽部分を形成することが考えられるが、展開した状態の重ね合わせ葉書用シートでは、葉書本体シートの表面に宛名情報などを記載する情報記載面が位置し、隠蔽する情報を記載するための情報記載面が葉書本体シートの裏面側と貼着シートの裏面側に位置することになり、この重ね合わせ葉書用シートに対してプリンタを用いて各情報記載面に情報を出力するためには表面側と裏面側とに出力作業を分けて印字したり両面プリンタなどの機器を用いなければならず、情報出力の際の手間が煩雑になるという不都合が生じる。
【０００４】
そこで本発明は上記事情に鑑み、重ね合わせ葉書用シートに対して一方向からのみで宛名などの情報と隠蔽すべき情報の出力が行えるとともに、隠蔽部分の領域を確保しながら葉書本体シートにおける宛名情報を記載する領域が適正に確保できるようにすることを課題とし、郵便番号７桁化に対応するカスタマバーコードを適正に載せるとともに十分な広さの隠蔽部分も備える葉書が得られるようにすることを目的とする。
【０００５】
【課題を解決するための手段】
本発明は上記課題を考慮してなされたもので、表面に葉書表示と宛名情報を符号化したカスタマバーコードとを備えた葉書本体シートと、前記葉書本体シートの表面と同一面側の表面に情報記載面を備えた第一貼着シートと、前記葉書本体シートの表面と同一面側の表面に情報記載面を備えた第二貼着シートとが折り部を介して一連にして連接されて、前記第一貼着シートと第二貼着シートとの連接方向の長さ寸法それぞれを葉書本体シートの連接方向の長さ寸法の半分にして、前記葉書本体シートの裏面側に第一貼着シートが重なるようにしてＺ型に折り重ね可能に設けられ、前記第一貼着シートと葉書本体シートとの前記折り重ね時に対向する対向面それぞれに、第一貼着シートと葉書本体シートとを剥離困難に接着する強接着部が設けられ、前記第二貼着シートと第一貼着シートとの前記折り重ね時に対向する対向面それぞれに、第二貼着シートと第一貼着シートとを剥離可能に接着する弱接着部が設けられて、第二貼着シートと第一貼着シートとの情報記載面は前記対向面内に配置されて折り重ね時に隠蔽され、折り重ね合せ後の前記第一貼着シートと第二貼着シートとを見開いた状態での見開き形状が、葉書本体シートと同じ形状になってこの葉書本体シートに重なる構成としたことを特徴とする重ね合わせ葉書用シートを提供して、上記課題を解消するものである。
【０００６】
【発明の実施の形態】
つぎに本発明を図１から図４に示す実施の形態に基づいて詳細に説明する。なお、図５と図６に示す従来例と構成が重複する部分は同符号を付してその説明を省略する。
図１は重ね合わせ葉書用シート１を示していて、その図１（イ）に示すように葉書本体シート３と第一貼着シート１１と第二貼着シート１２とが折り部４を介して横一連に連接され、前記第一貼着シート１１を葉書本体シート３の裏面側に折り返すようにＺ状に折畳み可能に設けられている。葉書本体シート３の表面には、葉書表示２、宛名情報を記載する情報記載面６、そして、カスタマバーコード記載面１３とを備え、これらにプリンタにて宛名情報、カスタマバーコードが同時に出力されている。
前記葉書本体シート３の一辺に折り部４を介して連接された第一貼着シート１１には、葉書本体シート３の表面と同一平面側となる表面に情報記載面１４が備えられ、また、この第一貼着シート１１の葉書本体シート３側とは反対側の一辺に折り部４を介して連接された第二貼着シート１２にも葉書本体シート３の表面と同一平面側となる表面に情報記載面１５が備えられている。このように、葉書本体シート、第一貼着シート、第二貼着シートとの三シートには同一面側が情報を記載する側として揃えられた状態で連接されており、展開されているこの状態の重ね合わせ葉書用シート１をプリンタにセットして同一方向側から各シートに情報が印字される。
【０００７】
上記第一貼着シート１１と第二貼着シート１２とは同一形状に形成され、かつ、シートの連接方向の長さ寸法を葉書本体シート３の連接方向の長さ寸法の半分としている。そして、上述したＺ折りした時に対向する第一貼着シート１１と第二貼着シート１２との対向面７，７それぞれの領域内に上述した情報記載面１４，１５が位置しているものであって、後述するようにＺ折りしたときには前記情報記載面１４，１５が隠蔽され、この情報記載面１４，１５に記載された情報が外部からは見えないようになる。
図１（ロ），（ハ）に示すように、第一貼着シート１１と葉書本体シート３とのＺ折り時に対向する対向面７それぞれの全面に、第一貼着シート１１と葉書本体シート３とを剥離困難に接着する接着剤が塗布された強接着部１６が設けられていて、重ね合わせ葉書シート１をＺ折りして所要の接着条件、例えば加圧することによって前記強接着部１６の働きにより葉書本体シート３と第一貼着シート１１とが強固に貼り合わされるようにしている。
また、図１（イ），（ハ）に示すように、第二貼着シート１２と第一貼着シート１１とのＺ折り時に対向する対向面７それぞれの全面には、第二貼着シート１２と第一貼着シート１１とを剥離可能に接着する接着剤が塗布された弱接着部１７が設けられて、重ね合わせ葉書シート１をＺ折りして加えられる上記所要の接着条件によって前記弱接着部１７の働きにより第二貼着シート１２と第一貼着シート１１とが剥離可能に貼り合わされるようにしており、この貼り合わせによって上述のごとく第二貼着シート１２と第一貼着シート１１との情報記載面１４，１５は隠蔽される。
【０００８】
上記構造の重ね合わせ葉書用シート１を上述のように第一貼着シート１１が葉書本体シート３の裏面側になるようにＺ折りし、葉書本体シート３と第一貼着シート１１とを強接着させ第一貼着シート１１と第二貼着シート１２とを剥離可能に貼り合わせることで、図２、図３に示すように裏面側に隠蔽部分を配した葉書１８が得られ、この葉書１８を受け取った側にあっては、第一貼着シート１１と第二貼着シート１２とを、葉書本体シート３と第一貼着シート１１との間の折り部４に沿った側から見開くようにすることで情報記載面１４，１５が表れて情報を読むことができるようになる（図４参照）。なお、第二貼着シート１２の外側の隅部にコーナーカットを設けるようにすれば指掛かり得られ易くなり、この見開きの操作がより一層簡単に行えるようになる。
【０００９】
上述したようにこの第一貼着シート１１と第二貼着シート１２とはそれぞれ連接方向の長さ寸法が葉書本体シート３の連接方向の長さ寸法の半分とされているため、両者を見開いた状態においても葉書本体シート３と同じ形状となって取り扱いが容易になる。この点、上述した従来の葉書表面側に剥離可能にして見開きできる隠蔽部分を備えた葉書ではその見開き時に全体形状が非常に大きくなり取り扱いが困難なものとなる。
また、従来の三シートからなる葉書において、図示した実施の例で示すように葉書本体シートの長辺方向に文字行方向を合わせた横書きのものであって、葉書本体シートの長辺方向にこの葉書本体シートの裏面側に強接着するための貼着シートを葉書本体シートと同形状にした貼着シートを連接し、さらにその貼着シートの長辺方向にやはり葉書本体シートと同形状としたもう一つの貼着シートを連接して、この貼着シートが先の貼着シートに剥離可能に貼り合わされるようにした重ね合わせ葉書用シートがある。しかし、その従来の重ね合わせ葉書シートでは一枚の葉書形態のものを得る上で葉書本体シートの三倍の幅となり、原反の用紙から幅の広い重ね合わせ葉書用シートを数多くとり出せない場合がある。これ対して、図示した実施の例で示すように葉書本体シート３に対して長辺方向に沿うように宛名情報などを横書きする場合、本発明の重ね合わせ葉書用シートではその幅寸法が小さく、原反の用紙から多くの重ね合わせ葉書用シートが切り出せるようになり、よって、原反の用紙に対してその幅方向に並ぶようにして多くの重ね合わせ葉書用シートを並べることで、原反の用紙の長手方向における一重ね合わせ葉書用シートに対する印字効率が高いメリットを生かしつつ、さらに原反からの用紙取りを多くして、印字処理効率を一層向上させることができるようになる。
【００１０】
【発明の効果】
以上説明したように本発明の重ね合わせ葉書用シートによれば、表面に葉書表示と宛名情報を符号化したカスタマバーコードとを備えた葉書本体シートと、前記葉書本体シートの表面と同一面側の表面に情報記載面を備えた第一貼着シートと、前記葉書本体シートの表面と同一面側の表面に情報記載面を備えた第二貼着シートとが折り部を介して一連にして連接されて、前記第一貼着シートと第二貼着シートとの連接方向の長さ寸法それぞれを葉書本体シートの連接方向の長さ寸法の半分にして、前記葉書本体シートの裏面側に第一貼着シートが重なるようにしてＺ型に折り重ね可能に設けられ、前記第一貼着シートと葉書本体シートとの前記折り重ね時に対向する対向面それぞれに、第一貼着シートと葉書本体シートとを剥離困難に接着する強接着部が設けられ、前記第二貼着シートと第一貼着シートとの前記折り重ね時に対向する対向面それぞれに、第二貼着シートと第一貼着シートとを剥離可能に接着する弱接着部が設けられて、第二貼着シートと第一貼着シートとの情報記載面は前記対向面内に配置されて折り重ね時に隠蔽され、折り重ね合せ後の前記第一貼着シートと第二貼着シートとを見開いた状態での見開き形状が、葉書本体シートと同じ形状になってこの葉書本体シートに重なる構成としたことを特徴とするものである。
このように重ね合わせ葉書用シートでは、同一平面側に三シートの情報記載面が配置されているため、通常のプリンタにより同一方向から印字出力が行えて印字効率を低下させることがない。そして、葉書本体シートの裏面側に第一貼着シートと第二貼着シートとによる隠蔽部分が配置されるため、葉書本体シートの表面において葉書表示や宛名情報、カスタマバーコードを設けるスペースが広く確保できる。さらに、従来の見開きできる隠蔽部分を葉書表面側に設けた葉書では見開いた時に葉書本体シートの一辺側に貼着シートが大きく張り出る形状になるのに対して、本発明では隠蔽面積を大きく確保しながらも見開いた時には形状が大きくならず、取り扱いを容易にすることができるなど、実用性に優れた効果を奏するものである。
【図面の簡単な説明】
【図１】  本発明に係る重ね合わせ葉書用シートの一例を示すもので、（イ）は表面側を示す説明図、（ロ）は裏面側を示す説明図、（ハ）は表面側を上にした断面を示す説明図である。
【図２】  重ね合わせ葉書用シートからなる葉書を示す説明図である。
【図３】  葉書の断面を示す説明図である。
【図４】  葉書を見開いた状態を示す説明図である。
【図５】  従来の重ね合わせ葉書用シートを示すもので、（イ）は表面側を示す説明図、（ロ）は断面を示す説明図である。
【図６】  従来の重ね合わせ葉書用シートからなる葉書を示す説明図である。
【符号の説明】
１…重ね合わせ葉書用シート  ３…葉書本体シート
７…対向面  １０…葉書  １１…第一貼着シート
１２…第二貼着シート  １４，１５…情報記載面
１６…強接着部  １７…弱接着部  １８…葉書
【図１】
0003686504.tif 000002
【図２】
0003686504.tif 000003
【図３】
0003686504.tif 000004
【図４】
0003686504.tif 000005
【図５】
0003686504.tif 000006
【図６】
0003686504.tif 000007